(57)【要約】      （修正有）【課題】食器洗浄時の洗浄性向上と皮膚に対する刺激性緩和に優れた、耐油汚れに優れた泡持ちの良い台所用洗浄剤組成物を提供する。【解決手段】一般式（１）に示すポリオキシアルキレンアルキルアミンを成分（Ａ）、（Ｂ）に配合することで、油に対する洗浄性の向上並びに、起泡性や泡の持続性を向上させる。（Ａ）アニオン性界面活性剤、（Ｂ）ポリオキシアルキレンアルキルエーテル、（Ｃ）一般式（１）、2015048362.tif 000005（Ｒ１は炭素数１２〜１５のアルキル基又はアルケニル基、又は炭素数８〜１８のアルキル組成物で、炭素数１０以下を３〜２０質量％、炭素数１２のを３０〜７０質量％、炭素数１４を１０〜３０質量％含有。ｍ，ｎは互いに独立に０以上の実数、１≦ｍ＋ｎ≦２の関係）【選択図】なし【特許請求の範囲】
【請求項１】
一般式（１）に示すポリオキシアルキレンアルキルアミンを下記成分（Ａ）、（Ｂ）に配合することで、油に対する洗浄性の向上並びに、起泡性や泡の持続性を向上させる洗浄剤組成物を提供する。
即ち、本発明は下記の発明を提供する。
下記成分（Ａ）、（Ｂ）及び（Ｃ）を含有する洗浄剤組成物。
（Ａ）アニオン性界面活性剤
（Ｂ）ポリオキシアルキレンアルキルエーテル
（Ｃ）一般式（１）に示すポリオキシアルキレンアルキルアミン
【化１】
2015048362.tif 000004
［但し式中Ｒ１は直鎖、分枝鎖又は不飽和を含んでもよい炭素数１２〜１５のアルキル基又はアルケニル基、又は炭素数８〜１８のアルキル組成物からなり、
炭素数１０以下のものを３〜２０質量％、
炭素数１２のものを３０〜７０質量％、
炭素数１４のものを１０〜３０質量％含有する混合アルキル基、又はアルケニル基を示し、
Ａ１Ｏ、Ａ２Ｏが同時にオキシエチレン基、オキシプロピレン基の混合でも良い。
ｍ，ｎは互いに独立に０以上の実数であり、  １≦ｍ＋ｎ≦２の関係がある。］
【発明の詳細な説明】
【技術分野】
【０００１】
本発明は、台所用洗浄剤組成物、更に詳しくはアニオン性界面活性剤、ポリオキシアルキレンアルキルエーテル、および特定のポリオキシアルキレンアルキルアミンからなる台所洗浄剤組成物に関する。
【背景技術】
【０００２】
従来より台所に用いられる洗剤には、アルキルエーテルサルフェートや直鎖アルキルベンゼンスルホン酸塩に代表されるアニオン性界面活性剤を主成分となる場合が主流である。しかしながら、アニオン性界面活性剤単独では油に対する洗浄性が悪い問題がある。そこに油に対する洗浄性の改善や粘度の向上、皮膚に対する刺激性の緩和を目的として、脂肪酸ジエタノールアミドやアルコキシレート型の非イオン性界面活性剤を配合されたものが提案されている（特許文献１）。
【０００３】
上述の技術では、油に対する洗浄性や皮膚に対する刺激緩和には良好ではあるが、起泡性や泡の持続性が十分でなく、強固な汚れを落とすことが要求される台所用洗浄剤としては、必ずしも十分なものではない。
【先行技術文献】
【特許文献】
【０００４】
【特許文献１】特開２００１−１７２６９９号報
【発明の概要】
【発明が解決しようとする課題】
【０００５】
本発明の目的は、食器洗浄時の洗浄性向上と、耐油汚れに優れた泡持ちの良い台所用洗浄剤組成物を提供することにある。
【課題を解決するための手段】
【０００６】
一般式（１）に示すポリオキシアルキレンアルキルアミンを下記成分（Ａ）、（Ｂ）に配合することで、油に対する洗浄性の向上並びに、起泡性や泡の持続性を向上させる洗浄剤組成物を提供する。
即ち、本発明は下記の発明を提供する。
下記成分（Ａ）、（Ｂ）及び（Ｃ）を含有する洗浄剤組成物。
（Ａ）アニオン性界面活性剤
（Ｂ）ポリオキシアルキレンアルキルエーテル
（Ｃ）一般式（１）に示すポリオキシアルキレンアルキルアミン
【化２】
2015048362.tif 000002
［但し式中Ｒ１は直鎖、分枝鎖又は不飽和を含んでもよい炭素数１２〜１５のアルキル基又はアルケニル基、
又は炭素数８〜１８のアルキル組成物からなり、
炭素数１０以下のものを３〜２０質量％、
炭素数１２のものを３０〜７０質量％、
炭素数１４のものを１０〜３０質量％含有する混合アルキル基、又はアルケニル基を示し、
Ａ１Ｏ、Ａ２Ｏが同時にオキシエチレン基、オキシプロピレン基の混合でも良い。
ｍ，ｎは互いに独立に０以上の実数であり、  １≦ｍ＋ｎ≦２の関係がある。］
【発明の効果】
【０００７】
本発明の目的は、食器洗浄時の洗浄性向上と、耐油汚れに優れた泡持ちの良い台所用洗浄剤組成物を容易に得ることが出来る。
【発明を実施するための形態】
【０００８】
以下、本発明の実施形態について説明する。
本発明における毛髪洗浄剤組成物の成分Ａのアニオン性界面活性剤としては、脂肪酸塩、Ｎ−アシルアミノ酸塩、アルキルエーテルカルボン酸塩、アミドエーテルカルボン酸塩、ポリオキシエチレンアルキルスルホコハク酸塩、ポリオキシエチレンアミドエーテルスルホコハク酸塩、アルキルエーテル硫酸塩などが挙げられ、より好適としては、ラウリン酸塩、ミリスチン酸塩、パルミチン酸塩、ステアリン酸塩、オレイン酸塩、ヤシ油脂肪酸塩、パーム核油脂脂肪酸塩、パーム油脂肪酸塩、Ｎ−ラウロイルサルコシン塩、Ｎ−ヤシ油脂肪酸サルコシン塩、Ｎ−ラウロイル−Ｎ−メチル−β−アラニン塩、Ｎ−ヤシ油脂肪酸−Ｎ−メチル−β−アラニン塩、Ｎ−ラウロイル−Ｌ−グルタミン酸塩、Ｎ−ヤシ油脂肪酸−Ｌ−グルタミン酸塩、Ｎ−ラウロイルアスパラギン酸塩、Ｎ−ヤシ油脂肪酸アスパラギン酸塩、Ｎ−ラウロイル−Ｎ−メチルタウリン塩、Ｎ−ヤシ油脂肪酸−Ｎ−メチルタウリン塩、ポリ（１〜１０）オキシエチレンラウリルエーテル酢酸塩、ポリ（１〜１０）オキシエチレンヤシ油アルキルエーテル酢酸塩、ポリ（１〜１０）オキシエチレントリデシルエーテル酢酸塩、ポリ（１〜１０）オキシエチレンラウロイルエタノールアミドエーテル酢酸塩、ポリ（１〜１０）オキシエチレンヤシ油脂肪酸エタノールアミドエーテル酢酸塩、ポリ（１〜１０）Ｎ−メチル−ラウロイルエタノールアミドエーテル酢酸塩、ポリ（１〜１０）Ｎ−エチル−ラウロイルエタノールアミドエーテル酢酸塩、ポリ（１〜１０）オキシエチレンＮ−メチル−ヤシ油脂肪酸エタノールアミドエーテル酢酸塩、ポリ（１〜１０）オキシエチレンＮ−エチル−ヤシ油脂肪酸エタノールアミドエーテル酢酸塩、ポリ（０〜１０）オキシエチレンラウリルスルホコハク酸塩、ポリ（０〜１０）オキシエチレンヤシ油脂肪酸スルホコハク酸塩、ポリ（０〜１０）オキシエチレンラウロイルエタノールアミドスルホコハク酸塩、ポリ（０〜１０）オキシエチレンヤシ油脂肪酸エタノールアミドスルホコハク酸塩、ポリ（０〜１０）オキシエチレンＮ−メチル−ラウロイルエタノールアミドスルホコハク酸塩、ポリ（０〜１０）オキシエチレンＮ−メチル−ヤシ油脂肪酸エタノールアミドスルホコハク酸塩、ポリ（０〜１０）オキシエチレンＮ−エチル−ラウロイルエタノールアミドスルホコハク酸塩、ポリ（０〜１０）オキシエチレンＮ−エチル−ヤシ油脂肪酸エタノールアミドスルホコハク酸塩、ポリ（１〜１０）オキシエチレンラウリルエーテル硫酸塩、それらの混合物も用いられ、その塩としてはナトリウム塩、カリウム塩、トリエタノールアミン塩等が挙げられる。
【０００９】
本発明において、成分Ａのアニオン性界面活性剤は、必要に応じて１種を単独で、または２種以上を組み合わせて用いることができ、その含有量は全組成中の１０〜４０重量％で、より好ましくは７〜２０重量％である。この範囲内であれば、アニオン性界面活性剤による泡立ちや泡量が十分に得られる。５重量％未満では、豊かな泡量を実現することができず、また、２５重量％を超えて配合すると組成物の安定性が悪化してしまうため適さない。
【００１０】
本発明の台所用洗浄剤組成物の成分Ｂのポリオキシアルキレンアルキルエーテルの好適例としては、例えばPEG-1カプリリルエーテル、PPG-1カプリリルエーテル、PEG-1/PPG-1カプリリルエーテル、PEG-2カプリリルエーテル、PPG-2カプリリルエーテル、PEG-2/PPG-1カプリリルエーテル、PEG-1/PPG-2カプリリルエーテル、PEG-3カプリリルエーテル、PPG-3カプリリルエーテル、PEG-3/PPG-1カプリリルエーテル、PEG-2/PPG-2カプリリルエーテル、PEG-1/PPG-3カプリリルエーテル、PEG-4カプリリルエーテル、PPG-4カプリリルエーテル、PEG-4/PPG-1カプリリルエーテル、PEG-3/PPG-2カプリリルエーテル、PEG-2/PPG/3カプリリルエーテル、PEG-1/PPG-4カプリリルエーテル、PEG-5カプリリルエーテル、PPG-5カプリリルエーテル、PEG-5/PEG-1カプリリルエーテル、PEG-4/PPG-2カプリリルエーテル、PEG-3/PPG-3カプリリルエーテル、PEG-2/PPG-4カプリリルエーテル、PEG-1/PPG-5カプリリルエーテル、PEG-6カプリリルエーテル、PPG-6カプリリルエーテル、PEG-6/PPG-1カプリリルエーテル、PEG-5/PEG-2カプリリルエーテル、PEG-4/PPG-3カプリリルエーテル、PEG-3/PPG-4カプリリルエーテル、PEG-2/PPG-5カプリリルエーテル、PEG-1/PPG-6カプリリルエーテル、PEG-7カプリリルエーテル、PPG-7カプリリルエーテル、PEG-7/PPG-1カプリリルエーテル、PEG-6/PPG-2カプリリルエーテル、PEG-5/PPG-3カプリリルエーテル、PEG-4/PPG-4カプリリルエーテル、PEG-3/PPG-5カプリリルエーテル、PEG-2/PPG-6カプリリルエーテル、PEG-1/PPG-7カプリリルエーテル、PEG-8カプリリルエーテル、PPG-8カプリリルエーテル、PEG-8/PPG-1カプリリルエーテル、PEG-7/PPG-2カプリリルエーテル、PEG-6/PPG-3カプリリルエーテル、PEG-5/PPG-4カプリリルエーテル、PEG-4/PPG-5カプリリルエーテル、PEG-3/PPG-6カプリリルエーテル、PEG-2/PPG-7カプリリルエーテル、PEG-1/PPG-8カプリリルエーテル、PEG-9カプリリルエーテル、PPG-9カプリリルエーテル、PEG-9/PPG-1カプリリルエーテル、PEG-8/PPG-2カプリリルエーテル、PEG-7/PPG-3カプリリルエーテル、PEG-6/PPG-4カプリリルエーテル、PEG-5/PPG-5カプリリルエーテル、PEG-4/PPG-6カプリリルエーテル、PEG-3/PPG-7カプリリルエーテル、PEG-2/PPG-8カプリリルエーテル、PEG-1/PPG-9カプリリルエーテル、PEG-10カプリリルエーテル、PPG-10カプリリルエーテル、PEG-10/PPG-1カプリリルエーテル、PEG-9/PPG-2カプリリルエーテル、PEG-8/PPG-3カプリリルエーテル、PEG-7/PPG-4カプリリルエーテル、PEG-6/PPG-5カプリリルエーテル、PEG-5/PPG-6カプリリルエーテル、PEG-4/PPG-7カプリリルエーテル、PEG-3/PPG-8カプリリルエーテル、PEG-2/PPG-9カプリリルエーテル、PEG-1/PPG-10カプリリルエーテル、PEG-11カプリリルエーテル、PPG-11カプリリルエーテル、PEG-11/PPG-1カプリリルエーテル、PEG-10/PPG-2カプリリルエーテル、PEG-9/PPG-3カプリリルエーテル、PEG-8/PPG-4カプリリルエーテル、PEG-7/PPG-5カプリリルエーテル、PEG-6/PPG-6カプリリルエーテル、PEG-5/PPG-7カプリリルエーテル、PEG-4/PPG-8カプリリルエーテル、PEG-3/PPG-9カプリリルエーテル、PEG-2/PPG-10カプリリルエーテル、PEG-1/PPG-11カプリリルエーテル、PEG-12カプリリルエーテル、PPG-12カプリリルエーテル、PEG-12/PPG-1カプリリルエーテル、PEG-11/PPG-2カプリリルエーテル、PEG-10/PPG-3カプリリルエーテル、PEG-9/PPG-4カプリリルエーテル、PEG-8/PPG-5カプリリルエーテル、PEG-7/PPG-6カプリリルエーテル、PEG-6/PPG-7カプリリルエーテル、PEG-5/PPG-8カプリリルエーテル、PEG-4/PPG-9カプリリルエーテル、PEG-3/PPG-10カプリリルエーテル、PEG-2/PPG-11カプリリルエーテル、PEG-1/PPG-12カプリリルエーテル、PEG-13カプリリルエーテル、PPG-13カプリリルエーテル、PEG-13/PPG-1カプリリルエーテル、PEG-12/PPG-2カプリリルエーテル、PEG-11/PPG-3カプリリルエーテル、PEG-10/PPG-4カプリリルエーテル、PEG-9/PPG-5カプリリルエーテル、PEG-8/PPG-6カプリリルエーテル、PEG-7/PPG-7カプリリルエーテル、PEG-6/PPG-8カプリリルエーテル、PEG-5/PPG-9カプリリルエーテル、PEG-4/PPG-10カプリリルエーテル、PEG-3/PPG-11カプリリルエーテル、PEG-2/PPG-12カプリリルエーテル、PEG-1/PPG-13カプリリルエーテル、PEG-14カプリリルエーテル、PPG-14カプリリルエーテル、PEG-14/PPG-1カプリリルエーテル、PEG-13/PPG-2カプリリルエーテル、PEG-12/PPG-3カプリリルエーテル、PEG-11/PPG-4カプリリルエーテル、PEG-10/PPG-5カプリリルエーテル、PEG-9/PPG-6カプリリルエーテル、PEG-8/PPG-7カプリリルエーテル、PEG-7/PPG-8カプリリルエーテル、PEG-6/PPG-9カプリリルエーテル、PEG-5/PPG-10カプリリルエーテル、PEG-4/PPG-11カプリリルエーテル、PEG-3/PPG-12カプリリルエーテル、PEG-2/PPG-13カプリリルエーテル、PEG-1/PPG-14カプリリルエーテル、PEG-15カプリリルエーテル、PPG-15カプリリルエーテル、PEG-15/PPG-1カプリリルエーテル、PEG-14/PPG-2カプリリルエーテル、PEG-13/PPG-3カプリリルエーテル、PEG-12/PPG-4カプリリルエーテル、PEG-11/PPG-5カプリリルエーテル、PEG-10/PPG-6カプリリルエーテル、PEG-9/PPG-7カプリリルエーテル、PEG-8/PPG-8カプリリルエーテル、PEG-7/PPG-9カプリリルエーテル、PEG-6/PPG-10カプリリルエーテル、PEG-5/PPG-11カプリリルエーテル、PEG-4/PPG-12カプリリルエーテル、PEG-3/PPG-13カプリリルエーテル、PEG-2/PPG-14カプリリルエーテル、PEG-1/PPG-15カプリリルエーテル、PEG-16カプリリルエーテル、PPG-16カプリリルエーテル、PEG-16/PPG-1カプリリルエーテル、PEG-15/PPG-2カプリリルエーテル、PEG-14/PPG-3カプリリルエーテル、PEG-13/PPG-4カプリリルエーテル、PEG-12/PPG-5カプリリルエーテル、PEG-11/PPG-6カプリリルエーテル、PEG-10/PPG-7カプリリルエーテル、PEG-9/PPG-8カプリリルエーテル、PEG-8/PPG-9カプリリルエーテル、PEG-7/PPG-10カプリリルエーテル、PEG-6/PPG-11カプリリルエーテル、PEG-5/PPG-12カプリリルエーテル、PEG-4/PPG-13カプリリルエーテル、PEG-3/PPG-14カプリリルエーテル、PEG-2/PPG-15カプリリルエーテル、PEG-1/PPG-16カプリリルエーテル、PEG-17カプリリルエーテル、PPG-17カプリリルエーテル、PEG-17/PPG-1カプリリルエーテル、PEG-16/PPG-2カプリリルエーテル、PEG-15/PPG-3カプリリルエーテル、PEG-14/PPG-4カプリリルエーテル、PEG-13/PPG-5カプリリルエーテル、PEG-12/PPG-6カプリリルエーテル、PEG-11/PPG-7カプリリルエーテル、PEG-10/PPG-8カプリリルエーテル、PEG-9/PPG-9カプリリルエーテル、PEG-8/PPG-10カプリリルエーテル、PEG-7/PPG-11カプリリルエーテル、PEG-6/PPG-12カプリリルエーテル、PEG-5/PPG-13カプリリルエーテル、PEG-4/PPG-14カプリリルエーテル、PEG-3/PPG-15カプリリルエーテル、PEG-2/PPG-16カプリリルエーテル、PEG-1/PPG-17カプリリルエーテル、PEG-18カプリリルエーテル、PPG-18カプリリルエーテル、PEG-18/PPG-1カプリリルエーテル、PEG-17/PPG-2カプリリルエーテル、PEG-16/PPG-3カプリリルエーテル、PEG-15/PPG-4カプリリルエーテル、PEG-14/PPG-5カプリリルエーテル、PEG-13/PPG-6カプリリルエーテル、PEG-12/PPG-7カプリリルエーテル、PEG-11/PPG-8カプリリルエーテル、PEG-10/PPG-9カプリリルエーテル、PEG-9/PPG-10カプリリルエーテル、PEG-8/PPG-11カプリリルエーテル、PEG-7/PPG-12カプリリルエーテル、PEG-6/PPG-13カプリリルエーテル、PEG-5/PPG-14カプリリルエーテル、PEG-4/PPG-15カプリリルエーテル、PEG-3/PPG-16カプリリルエーテル、PEG-2/PPG-17カプリリルエーテル、PEG-1/PPG-18カプリリルエーテル、PEG-19カプリリルエーテル、PPG-19カプリリルエーテル、PEG-19/PPG-1カプリリルエーテル、PEG-18/PPG-2カプリリルエーテル、PEG-17/PPG-3カプリリルエーテル、PEG-16/PPG-4カプリリルエーテル、PEG-15/PPG-5カプリリルエーテル、PEG-14/PPG-6カプリリルエーテル、PEG-13/PPG-7カプリリルエーテル、PEG-12/PPG-8カプリリルエーテル、PEG-11/PPG-9カプリリルエーテル、PEG-10/PPG-10カプリリルエーテル、PEG-9/PPG-11カプリリルエーテル、PEG-8/PPG-12カプリリルエーテル、PEG-7/PPG-13カプリリルエーテル、PEG-6/PPG-14カプリリルエーテル、PEG-5/PPG-15カプリリルエーテル、PEG-4/PPG-16カプリリルエーテル、PEG-3/PPG-17カプリリルエーテル、PEG-2/PPG-18カプリリルエーテル、PEG-19/PPG-1カプリリルエーテル、PEG-20カプリリルエーテル、PPG-20カプリリルエーテル、PEG-1デシルエーテル、PPG-1デシルエーテル、PEG-1/PPG-1デシルエーテル、PEG-2デシルエーテル、PPG-2デシルエーテル、PEG-2/PPG-1デシルエーテル、PEG-1/PPG-2デシルエーテル、PEG-3デシルエーテル、PPG-3デシルエーテル、PEG-3/PPG-1デシルエーテル、PEG-2/PPG-2デシルエーテル、PEG-1/PPG-3デシルエーテル、PEG-4デシルエーテル、PPG-4デシルエーテル、PEG-4/PPG-1デシルエーテル、PEG-3/PPG-2デシルエーテル、PEG-2/PPG/3デシルエーテル、PEG-1/PPG-4デシルエーテル、PEG-5デシルエーテル、PPG-5デシルエーテル、PEG-5/PEG-1デシルエーテル、PEG-4/PPG-2デシルエーテル、PEG-3/PPG-3デシルエーテル、PEG-2/PPG-4デシルエーテル、PEG-1/PPG-5デシルエーテル、PEG-6デシルエーテル、PPG-6デシルエーテル、PEG-6/PPG-1デシルエーテル、PEG-5/PEG-2デシルエーテル、PEG-4/PPG-3デシルエーテル、PEG-3/PPG-4デシルエーテル、PEG-2/PPG-5デシルエーテル、PEG-1/PPG-6デシルエーテル、PEG-7デシルエーテル、PPG-7デシルエーテル、PEG-7/PPG-1デシルエーテル、PEG-6/PPG-2デシルエーテル、PEG-5/PPG-3デシルエーテル、PEG-4/PPG-4デシルエーテル、PEG-3/PPG-5デシルエーテル、PEG-2/PPG-6デシルエーテル、PEG-1/PPG-7デシルエーテル、PEG-8デシルエーテル、PPG-8デシルエーテル、PEG-8/PPG-1デシルエーテル、PEG-7/PPG-2デシルエーテル、PEG-6/PPG-3デシルエーテル、PEG-5/PPG-4デシルエーテル、PEG-4/PPG-5デシルエーテル、PEG-3/PPG-6デシルエーテル、PEG-2/PPG-7デシルエーテル、PEG-1/PPG-8デシルエーテル、PEG-9デシルエーテル、PPG-9デシルエーテル、PEG-9/PPG-1デシルエーテル、PEG-8/PPG-2デシルエーテル、PEG-7/PPG-3デシルエーテル、PEG-6/PPG-4デシルエーテル、PEG-5/PPG-5デシルエーテル、PEG-4/PPG-6デシルエーテル、PEG-3/PPG-7デシルエーテル、PEG-2/PPG-8デシルエーテル、PEG-1/PPG-9デシルエーテル、PEG-10デシルエーテル、PPG-10デシルエーテル、PEG-10/PPG-1デシルエーテル、PEG-9/PPG-2デシルエーテル、PEG-8/PPG-3デシルエーテル、PEG-7/PPG-4デシルエーテル、PEG-6/PPG-5デシルエーテル、PEG-5/PPG-6デシルエーテル、PEG-4/PPG-7デシルエーテル、PEG-3/PPG-8デシルエーテル、PEG-2/PPG-9デシルエーテル、PEG-1/PPG-10デシルエーテル、PEG-11デシルエーテル、PPG-11デシルエーテル、PEG-11/PPG-1デシルエーテル、PEG-10/PPG-2デシルエーテル、PEG-9/PPG-3デシルエーテル、PEG-8/PPG-4デシルエーテル、PEG-7/PPG-5デシルエーテル、PEG-6/PPG-6デシルエーテル、PEG-5/PPG-7デシルエーテル、PEG-4/PPG-8デシルエーテル、PEG-3/PPG-9デシルエーテル、PEG-2/PPG-10デシルエーテル、PEG-1/PPG-11デシルエーテル、PEG-12デシルエーテル、PPG-12デシルエーテル、PEG-12/PPG-1デシルエーテル、PEG-11/PPG-2デシルエーテル、PEG-10/PPG-3デシルエーテル、PEG-9/PPG-4デシルエーテル、PEG-8/PPG-5デシルエーテル、PEG-7/PPG-6デシルエーテル、PEG-6/PPG-7デシルエーテル、PEG-5/PPG-8デシルエーテル、PEG-4/PPG-9デシルエーテル、PEG-3/PPG-10デシルエーテル、PEG-2/PPG-11デシルエーテル、PEG-1/PPG-12デシルエーテル、PEG-13デシルエーテル、PPG-13デシルエーテル、PEG-13/PPG-1デシルエーテル、PEG-12/PPG-2デシルエーテル、PEG-11/PPG-3デシルエーテル、PEG-10/PPG-4デシルエーテル、PEG-9/PPG-5デシルエーテル、PEG-8/PPG-6デシルエーテル、PEG-7/PPG-7デシルエーテル、PEG-6/PPG-8デシルエーテル、PEG-5/PPG-9デシルエーテル、PEG-4/PPG-10デシルエーテル、PEG-3/PPG-11デシルエーテル、PEG-2/PPG-12デシルエーテル、PEG-1/PPG-13デシルエーテル、PEG-14デシルエーテル、PPG-14デシルエーテル、PEG-14/PPG-1デシルエーテル、PEG-13/PPG-2デシルエ
ーテル、PEG-12/PPG-3デシルエーテル、PEG-11/PPG-4デシルエーテル、PEG-10/PPG-5デシルエーテル、PEG-9/PPG-6デシルエーテル、PEG-8/PPG-7デシルエーテル、PEG-7/PPG-8デシルエーテル、PEG-6/PPG-9デシルエーテル、PEG-5/PPG-10デシルエーテル、PEG-4/PPG-11デシルエーテル、PEG-3/PPG-12デシルエーテル、PEG-2/PPG-13デシルエーテル、PEG-1/PPG-14デシルエーテル、PEG-15デシルエーテル、PPG-15デシルエーテル、PEG-15/PPG-1デシルエーテル、PEG-14/PPG-2デシルエーテル、PEG-13/PPG-3デシルエーテル、PEG-12/PPG-4デシルエーテル、PEG-11/PPG-5デシルエーテル、PEG-10/PPG-6デシルエーテル、PEG-9/PPG-7デシルエーテル、PEG-8/PPG-8デシルエーテル、PEG-7/PPG-9デシルエーテル、PEG-6/PPG-10デシルエーテル、PEG-5/PPG-11デシルエーテル、PEG-4/PPG-12デシルエーテル、PEG-3/PPG-13デシルエーテル、PEG-2/PPG-14デシルエーテル、PEG-1/PPG-15デシルエーテル、PEG-16デシルエーテル、PPG-16デシルエーテル、PEG-16/PPG-1デシルエーテル、PEG-15/PPG-2デシルエーテル、PEG-14/PPG-3デシルエーテル、PEG-13/PPG-4デシルエーテル、PEG-12/PPG-5デシルエーテル、PEG-11/PPG-6デシルエーテル、PEG-10/PPG-7デシルエーテル、PEG-9/PPG-8デシルエーテル、PEG-8/PPG-9デシルエーテル、PEG-7/PPG-10デシルエーテル、PEG-6/PPG-11デシルエーテル、PEG-5/PPG-12デシルエーテル、PEG-4/PPG-13デシルエーテル、PEG-3/PPG-14デシルエーテル、PEG-2/PPG-15デシルエーテル、PEG-1/PPG-16デシルエーテル、PEG-17デシルエーテル、PPG-17デシルエーテル、PEG-17/PPG-1デシルエーテル、PEG-16/PPG-2デシルエーテル、PEG-15/PPG-3デシルエーテル、PEG-14/PPG-4デシルエーテル、PEG-13/PPG-5デシルエーテル、PEG-12/PPG-6デシルエーテル、PEG-11/PPG-7デシルエーテル、PEG-10/PPG-8デシルエーテル、PEG-9/PPG-9デシルエーテル、PEG-8/PPG-10デシルエーテル、PEG-7/PPG-11デシルエーテル、PEG-6/PPG-12デシルエーテル、PEG-5/PPG-13デシルエーテル、PEG-4/PPG-14デシルエーテル、PEG-3/PPG-15デシルエーテル、PEG-2/PPG-16デシルエーテル、PEG-1/PPG-17デシルエーテル、PEG-18デシルエーテル、PPG-18デシルエーテル、PEG-18/PPG-1デシルエーテル、PEG-17/PPG-2デシルエーテル、PEG-16/PPG-3デシルエーテル、PEG-15/PPG-4デシルエーテル、PEG-14/PPG-5デシルエーテル、PEG-13/PPG-6デシルエーテル、PEG-12/PPG-7デシルエーテル、PEG-11/PPG-8デシルエーテル、PEG-10/PPG-9デシルエーテル、PEG-9/PPG-10デシルエーテル、PEG-8/PPG-11デシルエーテル、PEG-7/PPG-12デシルエーテル、PEG-6/PPG-13デシルエーテル、PEG-5/PPG-14デシルエーテル、PEG-4/PPG-15デシルエーテル、PEG-3/PPG-16デシルエーテル、PEG-2/PPG-17デシルエーテル、PEG-1/PPG-18デシルエーテル、PEG-19デシルエーテル、PPG-19デシルエーテル、PEG-19/PPG-1デシルエーテル、PEG-18/PPG-2デシルエーテル、PEG-17/PPG-3デシルエーテル、PEG-16/PPG-4デシルエーテル、PEG-15/PPG-5デシルエーテル、PEG-14/PPG-6デシルエーテル、PEG-13/PPG-7デシルエーテル、PEG-12/PPG-8デシルエーテル、PEG-11/PPG-9デシルエーテル、PEG-10/PPG-10デシルエーテル、PEG-9/PPG-11デシルエーテル、PEG-8/PPG-12デシルエーテル、PEG-7/PPG-13デシルエーテル、PEG-6/PPG-14デシルエーテル、PEG-5/PPG-15デシルエーテル、PEG-4/PPG-16デシルエーテル、PEG-3/PPG-17デシルエーテル、PEG-2/PPG-18デシルエーテル、PEG-19/PPG-1デシルエーテル、PEG-20デシルエーテル、PPG-20デシルエーテル、PEG-1ドデシルエーテル、PPG-1ドデシルエーテル、PEG-1/PPG-1ドデシルエーテル、PEG-2ドデシルエーテル、PPG-2ドデシルエーテル、PEG-2/PPG-1ドデシルエーテル、PEG-1/PPG-2ドデシルエーテル���PEG-3ドデシルエーテル、PPG-3ドデシルエーテル、PEG-3/PPG-1ドデシルエーテル、PEG-2/PPG-2ドデシルエーテル、PEG-1/PPG-3ドデシルエーテル、PEG-4ドデシルエーテル、PPG-4ドデシルエーテル、PEG-4/PPG-1ドデシルエーテル、PEG-3/PPG-2ドデシルエーテル、PEG-2/PPG/3ドデシルエーテル、PEG-1/PPG-4ドデシルエーテル、PEG-5ドデシルエーテル、PPG-5ドデシルエーテル、PEG-5/PEG-1ドデシルエーテル、PEG-4/PPG-2ドデシルエーテル、PEG-3/PPG-3ドデシルエーテル、PEG-2/PPG-4ドデシルエーテル、PEG-1/PPG-5ドデシルエーテル、PEG-6ドデシルエーテル、PPG-6ドデシルエーテル、PEG-6/PPG-1ドデシルエーテル、PEG-5/PEG-2ドデシルエーテル、PEG-4/PPG-3ドデシルエーテル、PEG-3/PPG-4ドデシルエーテル、PEG-2/PPG-5ドデシルエーテル、PEG-1/PPG-6ドデシルエーテル、PEG-7ドデシルエーテル、PPG-7ドデシルエーテル、PEG-7/PPG-1ドデシルエーテル、PEG-6/PPG-2ドデシルエーテル、PEG-5/PPG-3ドデシルエーテル、PEG-4/PPG-4ドデシルエーテル、PEG-3/PPG-5ドデシルエーテル、PEG-2/PPG-6ドデシルエーテル、PEG-1/PPG-7ドデシルエーテル、PEG-8ドデシルエーテル、PPG-8ドデシルエーテル、PEG-8/PPG-1ドデシルエーテル、PEG-7/PPG-2ドデシルエーテル、PEG-6/PPG-3ドデシルエーテル、PEG-5/PPG-4ドデシルエーテル、PEG-4/PPG-5ドデシルエーテル、PEG-3/PPG-6ドデシルエーテル、PEG-2/PPG-7ドデシルエーテル、PEG-1/PPG-8ドデシルエーテル、PEG-9ドデシルエーテル、PPG-9ドデシルエーテル、PEG-9/PPG-1ドデシルエーテル、PEG-8/PPG-2ドデシルエーテル、PEG-7/PPG-3ドデシルエーテル、PEG-6/PPG-4ドデシルエーテル、PEG-5/PPG-5ドデシルエーテル、PEG-4/PPG-6ドデシルエーテル、PEG-3/PPG-7ドデシルエーテル、PEG-2/PPG-8ドデシルエーテル、PEG-1/PPG-9ドデシルエーテル、PEG-10ドデシルエーテル、PPG-10ドデシルエーテル、PEG-10/PPG-1ドデシルエーテル、PEG-9/PPG-2ドデシルエーテル、PEG-8/PPG-3ドデシルエーテル、PEG-7/PPG-4ドデシルエーテル、PEG-6/PPG-5ドデシルエーテル、PEG-5/PPG-6ドデシルエーテル、PEG-4/PPG-7ドデシルエーテル、PEG-3/PPG-8ドデシルエーテル、PEG-2/PPG-9ドデシルエーテル、PEG-1/PPG-10ドデシルエーテル、PEG-11ドデシルエーテル、PPG-11ドデシルエーテル、PEG-11/PPG-1ドデシルエーテル、PEG-10/PPG-2ドデシルエーテル、PEG-9/PPG-3ドデシルエーテル、PEG-8/PPG-4ドデシルエーテル、PEG-7/PPG-5ドデシルエーテル、PEG-6/PPG-6ドデシルエーテル、PEG-5/PPG-7ドデシルエーテル、PEG-4/PPG-8ドデシルエーテル、PEG-3/PPG-9ドデシルエーテル、PEG-2/PPG-10ドデシルエーテル、PEG-1/PPG-11ドデシルエーテル、PEG-12ドデシルエーテル、PPG-12ドデシルエーテル、PEG-12/PPG-1ドデシルエーテル、PEG-11/PPG-2ドデシルエーテル、PEG-10/PPG-3ドデシルエーテル、PEG-9/PPG-4ドデシルエーテル、PEG-8/PPG-5ドデシルエーテル、PEG-7/PPG-6ドデシルエーテル、PEG-6/PPG-7ドデシルエーテル、PEG-5/PPG-8ドデシルエーテル、PEG-4/PPG-9ドデシルエーテル、PEG-3/PPG-10ドデシルエーテル、PEG-2/PPG-11ドデシルエーテル、PEG-1/PPG-12ドデシルエーテル、PEG-13ドデシルエーテル、PPG-13ドデシルエーテル、PEG-13/PPG-1ドデシルエーテル、PEG-12/PPG-2ドデシルエーテル、PEG-11/PPG-3ドデシルエーテル、PEG-10/PPG-4ドデシルエーテル、PEG-9/PPG-5ドデシルエーテル、PEG-8/PPG-6ドデシルエーテル、PEG-7/PPG-7ドデシルエーテル、PEG-6/PPG-8ドデシルエーテル、PEG-5/PPG-9ドデシルエーテル、PEG-4/PPG-10ドデシルエーテル、PEG-3/PPG-11ドデシルエーテル、PEG-2/PPG-12ドデシルエーテル、PEG-1/PPG-13ドデシルエーテル、PEG-14ドデシ��エーテル、PPG-14ドデシルエーテル、PEG-14/PPG-1ドデシルエーテル、PEG-13/PPG-2ドデシルエーテル、PEG-12/PPG-3ドデシルエーテル、PEG-11/PPG-4ドデシルエーテル、PEG-10/PPG-5ドデシルエーテル、PEG-9/PPG-6ドデシルエーテル、PEG-8/PPG-7ドデシルエーテル、PEG-7/PPG-8ドデシルエーテル、PEG-6/PPG-9ドデシルエーテル、PEG-5/PPG-10ドデシルエーテル、PEG-4/PPG-11ドデシルエーテル、PEG-3/PPG-12ドデシルエーテル、PEG-2/PPG-13ドデシルエーテル、PEG-1/PPG-14ドデシルエーテル、PEG-15ドデシルエーテル、PPG-15ドデシルエーテル、PEG-15/PPG-1ドデシルエーテル、PEG-14/PPG-2ドデシルエーテル、PEG-13/PPG-3ドデシルエーテル、PEG-12/PPG-4ドデシルエーテル、PEG-11/PPG-5ドデシルエーテル、PEG-10/PPG-6ドデシルエーテル、PEG-9/PPG-7ドデシルエーテル、PEG-8/PPG-8ドデシルエーテル、PEG-7/PPG-9ドデシルエーテル、PEG-6/PPG-10ドデシルエーテル、PEG-5/PPG-11ドデシルエーテル、PEG-4/PPG-12ドデシルエーテル、PEG-3/PPG-13ドデシルエーテル、PEG-2/PPG-14ドデシルエーテル、PEG-1/PPG-15ドデシルエーテル、PEG-16ドデシルエーテル、PPG-16ドデシルエーテル、PEG-16/PPG-1ドデシルエーテル、PEG-15/PPG-2ドデシルエーテル、PEG-14/PPG-3ドデシルエーテル、PEG-13/PPG-4ドデシルエーテル、PEG-12/PPG-5ドデシルエーテル、PEG-11/PPG-6ドデシルエーテル、PEG-10/PPG-7ドデシルエーテル、PEG-9/PPG-8ドデシルエーテル、PEG-8/PPG-9ドデシルエーテル、PEG-7/PPG-10ドデシルエーテル、PEG-6/PPG-11ドデシルエーテル、PEG-5/PPG-12ドデシルエーテル、PEG-4/PPG-13ドデシルエーテル、PEG-3/PPG-14ドデシルエーテル、PEG-2/PPG-15ドデシルエーテル、PEG-1/PPG-16ドデシルエーテル、PEG-17ドデシルエーテル、PPG-17ドデシルエーテル、PEG-17/PPG-1ドデシルエーテル、PEG-16/PPG-2ドデシルエーテル、PEG-15/PPG-3ドデシルエーテル、PEG-14/PPG-4ドデシルエーテル、PEG-13/PPG-5ドデシルエーテル、PEG-12/PPG-6ドデシルエーテル、PEG-11/PPG-7ドデシルエーテル、PEG-10/PPG-8ドデシルエーテル、PEG-9/PPG-9ドデシルエーテル、PEG-8/PPG-10ドデシルエーテル、PEG-7/PPG-11ドデシルエーテル、PEG-6/PPG-12ドデシルエーテル、PEG-5/PPG-13ドデシルエーテル、PEG-4/PPG-14ドデシルエーテル、PEG-3/PPG-15ドデシルエーテル、PEG-2/PPG-16ドデシルエーテル、PEG-1/PPG-17ドデシルエーテル、PEG-18ドデシルエーテル、PPG-18ドデシルエーテル、PEG-18/PPG-1ドデシルエーテル、PEG-17/PPG-2ドデシルエーテル、PEG-16/PPG-3ドデシルエーテル、PEG-15/PPG-4ドデシルエーテル、PEG-14/PPG-5ドデシルエーテル、PEG-13/PPG-6ドデシルエーテル、PEG-12/PPG-7ドデシルエーテル、PEG-11/PPG-8ドデシルエーテル、PEG-10/PPG-9ドデシルエーテル、PEG-9/PPG-10ドデシルエーテル、PEG-8/PPG-11ドデシルエーテル、PEG-7/PPG-12ドデシルエーテル、PEG-6/PPG-13ドデシルエーテル、PEG-5/PPG-14ドデシルエーテル、PEG-4/PPG-15ドデシルエーテル、PEG-3/PPG-16ドデシルエーテル、PEG-2/PPG-17ドデシルエーテル、PEG-1/PPG-18ドデシルエーテル、PEG-19ドデシルエーテル、PPG-19ドデシルエーテル、PEG-19/PPG-1ドデシルエーテル、PEG-18/PPG-2ドデシルエーテル、PEG-17/PPG-3ドデシルエーテル、PEG-16/PPG-4ドデシルエーテル、PEG-15/PPG-5ドデシルエーテル、PEG-14/PPG-6ドデシルエーテル、PEG-13/PPG-7ドデシルエーテル、PEG-12/PPG-8ドデシルエーテル、PEG-11/PPG-9ドデシルエーテル、PEG-10/PPG-10ドデシルエーテル、PEG-9/PPG-11ドデシルエーテル、PEG-8/PPG-12ドデシルエーテル、PEG-7/PPG-13ドデシルエーテル、PEG-6/PPG-14ドデシルエーテル、PEG-5/PPG-15ドデシルエーテル、PEG-4/PPG-16ドデ��ルエーテル、PEG-3/PPG-17ドデシルエーテル、PEG-2/PPG-18ドデシルエーテル、PEG-19/PPG-1ドデシルエーテル、PEG-20ドデシルエーテル、PPG-20ドデシルエーテル、PEG-1テトラデシルエーテル、PPG-1テトラデシルエーテル、PEG-1/PPG-1テトラデシルエーテル、PEG-2テトラデシルエーテル、PPG-2テトラデシルエーテル、PEG-2/PPG-1テトラデシルエーテル、PEG-1/PPG-2テトラデシルエーテル、PEG-3テトラデシルエーテル、PPG-3テトラデシルエーテル、PEG-3/PPG-1テトラデシルエーテル、PEG-2/PPG-2テトラデシルエーテル、PEG-1/PPG-3テトラデシルエーテル、PEG-4テトラデシルエーテル、PPG-4テトラデシルエーテル、PEG-4/PPG-1テトラデシルエーテル、PEG-3/PPG-2テトラデシルエーテル、PEG-2/PPG/3テトラデシルエーテル、PEG-1/PPG-4テトラデシルエーテル、PEG-5テトラデシルエーテル、PPG-5テトラデシルエーテル、PEG-5/PEG-1テトラデシルエーテル、PEG-4/PPG-2テトラデシルエーテル、PEG-3/PPG-3テトラデシルエーテル、P
EG-2/PPG-4テトラデシルエーテル、PEG-1/PPG-5テトラデシルエーテル、PEG-6テトラデシルエーテル、PPG-6テトラデシルエーテル、PEG-6/PPG-1テトラデシルエーテル、PEG-5/PEG-2テトラデシルエーテル、PEG-4/PPG-3テトラデシルエーテル、PEG-3/PPG-4テトラデシルエーテル、PEG-2/PPG-5テトラデシルエーテル、PEG-1/PPG-6テトラデシルエーテル、PEG-7テトラデシルエーテル、PPG-7テトラデシルエーテル、PEG-7/PPG-1テトラデシルエーテル、PEG-6/PPG-2テトラデシルエーテル、PEG-5/PPG-3テトラデシルエーテル、PEG-4/PPG-4テトラデシルエーテル、PEG-3/PPG-5テトラデシルエーテル、PEG-2/PPG-6テトラデシルエーテル、PEG-1/PPG-7テトラデシルエーテル、PEG-8テトラデシルエーテル、PPG-8テトラデシルエーテル、PEG-8/PPG-1テトラデシルエーテル、PEG-7/PPG-2テトラデシルエーテル、PEG-6/PPG-3テトラデシルエーテル、PEG-5/PPG-4テトラデシルエーテル、PEG-4/PPG-5テトラデシルエーテル、PEG-3/PPG-6テトラデシルエーテル、PEG-2/PPG-7テトラデシルエーテル、PEG-1/PPG-8テトラデシルエーテル、PEG-9テトラデシルエーテル、PPG-9テトラデシルエーテル、PEG-9/PPG-1テトラデシルエーテル、PEG-8/PPG-2テトラデシルエーテル、PEG-7/PPG-3テトラデシルエーテル、PEG-6/PPG-4テトラデシルエーテル、PEG-5/PPG-5テトラデシルエーテル、PEG-4/PPG-6テトラデシルエーテル、PEG-3/PPG-7テトラデシルエーテル、PEG-2/PPG-8テトラデシルエーテル、PEG-1/PPG-9テトラデシルエーテル、PEG-10テトラデシルエーテル、PPG-10テトラデシルエーテル、PEG-10/PPG-1テトラデシルエーテル、PEG-9/PPG-2テトラデシルエーテル、PEG-8/PPG-3テトラデシルエーテル、PEG-7/PPG-4テトラデシルエーテル、PEG-6/PPG-5テトラデシルエーテル、PEG-5/PPG-6テトラデシルエーテル、PEG-4/PPG-7テトラデシルエーテル、PEG-3/PPG-8テトラデシルエーテル、PEG-2/PPG-9テトラデシルエーテル、PEG-1/PPG-10テトラデシルエーテル、PEG-11テトラデシルエーテル、PPG-11テトラデシルエーテル、PEG-11/PPG-1テトラデシルエーテル、PEG-10/PPG-2テトラデシルエーテル、PEG-9/PPG-3テトラデシルエーテル、PEG-8/PPG-4テトラデシルエーテル、PEG-7/PPG-5テトラデシルエーテル、PEG-6/PPG-6テトラデシルエーテル、PEG-5/PPG-7テトラデシルエーテル、PEG-4/PPG-8テトラデシルエーテル、PEG-3/PPG-9テトラデシルエーテル、PEG-2/PPG-10テトラデシルエーテル、PEG-1/PPG-11テトラデシルエーテル、PEG-12テトラデシルエーテル、PPG-12テトラデシルエーテル、PEG-12/PPG-1テトラデシルエーテル、PEG-11/PPG-2テトラデシルエーテル、PEG-10/PPG-3テトラデシルエーテル、PEG-9/PPG-4テトラデシルエーテル、PEG-8/PPG-5テトラデシルエーテル、PEG-7/PPG-6テトラデシルエーテル、PEG-6/PPG-7テトラデシルエーテル、PEG-5/PPG-8テトラデシルエーテル、PEG-4/PPG-9テトラデシルエーテル、PEG-3/PPG-10テトラデシルエーテル、PEG-2/PPG-11テトラデシルエーテル、PEG-1/PPG-12テトラデシルエーテル、PEG-13テトラデシルエーテル、PPG-13テトラデシルエーテル、PEG-13/PPG-1テトラデシルエーテル、PEG-12/PPG-2テトラデシルエーテル、PEG-11/PPG-3テトラデシルエーテル、PEG-10/PPG-4テトラデシルエーテル、PEG-9/PPG-5テトラデシルエーテル、PEG-8/PPG-6テトラデシルエーテル、PEG-7/PPG-7テトラデシルエーテル、PEG-6/PPG-8テトラデシルエーテル、PEG-5/PPG-9テトラデシルエーテル、PEG-4/PPG-10テトラデシルエーテル、PEG-3/PPG-11テトラデシルエーテル、PEG-2/PPG-12テトラデシルエーテル、PEG-1/PPG-13テトラデシルエーテル、PEG-14テトラデシルエ���テル、PPG-14テトラデシルエーテル、PEG-14/PPG-1テトラデシルエーテル、PEG-13/PPG-2テトラデシルエーテル、PEG-12/PPG-3テトラデシルエーテル、PEG-11/PPG-4テトラデシルエーテル、PEG-10/PPG-5テトラデシルエーテル、PEG-9/PPG-6テトラデシルエーテル、PEG-8/PPG-7テトラデシルエーテル、PEG-7/PPG-8テトラデシルエーテル、PEG-6/PPG-9テトラデシルエーテル、PEG-5/PPG-10テトラデシルエーテル、PEG-4/PPG-11テトラデシルエーテル、PEG-3/PPG-12テトラデシルエーテル、PEG-2/PPG-13テトラデシルエーテル、PEG-1/PPG-14テトラデシルエーテル、PEG-15テトラデシルエーテル、PPG-15テトラデシルエーテル、PEG-15/PPG-1テトラデシルエーテル、PEG-14/PPG-2テトラデシルエーテル、PEG-13/PPG-3テトラデシルエーテル、PEG-12/PPG-4テトラデシルエーテル、PEG-11/PPG-5テトラデシルエーテル、PEG-10/PPG-6テトラデシルエーテル、PEG-9/PPG-7テトラデシルエーテル、PEG-8/PPG-8テトラデシルエーテル、PEG-7/PPG-9テトラデシルエーテル、PEG-6/PPG-10テトラデシルエーテル、PEG-5/PPG-11テトラデシルエーテル、PEG-4/PPG-12テトラデシルエーテル、PEG-3/PPG-13テトラデシルエーテル、PEG-2/PPG-14テトラデシルエーテル、PEG-1/PPG-15テトラデシルエーテル、PEG-16テトラデシルエーテル、PPG-16テトラデシルエーテル、PEG-16/PPG-1テトラデシルエーテル、PEG-15/PPG-2テトラデシルエーテル、PEG-14/PPG-3テトラデシルエーテル、PEG-13/PPG-4テトラデシルエーテル、PEG-12/PPG-5テトラデシルエーテル、PEG-11/PPG-6テトラデシルエーテル、PEG-10/PPG-7テトラデシルエーテル、PEG-9/PPG-8テトラデシルエーテル、PEG-8/PPG-9テトラデシルエーテル、PEG-7/PPG-10テトラデシルエーテル、PEG-6/PPG-11テトラデシルエーテル、PEG-5/PPG-12テトラデシルエーテル、PEG-4/PPG-13テトラデシルエーテル、PEG-3/PPG-14テトラデシルエーテル、PEG-2/PPG-15テトラデシルエーテル、PEG-1/PPG-16テトラデシルエーテル、PEG-17テトラデシルエーテル、PPG-17テトラデシルエーテル、PEG-17/PPG-1テトラデシルエーテル、PEG-16/PPG-2テトラデシルエーテル、PEG-15/PPG-3テトラデシルエーテル、PEG-14/PPG-4テトラデシルエーテル、PEG-13/PPG-5テトラデシルエーテル、PEG-12/PPG-6テトラデシルエーテル、PEG-11/PPG-7テトラデシルエーテル、PEG-10/PPG-8テトラデシルエーテル、PEG-9/PPG-9テトラデシルエーテル、PEG-8/PPG-10テトラデシルエーテル、PEG-7/PPG-11テトラデシルエーテル、PEG-6/PPG-12テトラデシルエーテル、PEG-5/PPG-13テトラデシルエーテル、PEG-4/PPG-14テトラデシルエーテル、PEG-3/PPG-15テトラデシルエーテル、PEG-2/PPG-16テトラデシルエーテル、PEG-1/PPG-17テトラデシルエーテル、PEG-18テトラデシルエーテル、PPG-18テトラデシルエーテル、PEG-18/PPG-1テトラデシルエーテル、PEG-17/PPG-2テトラデシルエーテル、PEG-16/PPG-3テトラデシルエーテル、PEG-15/PPG-4テトラデシルエーテル、PEG-14/PPG-5テトラデシルエーテル、PEG-13/PPG-6テトラデシルエーテル、PEG-12/PPG-7テトラデシルエーテル、PEG-11/PPG-8テトラデシルエーテル、PEG-10/PPG-9テトラデシルエーテル、PEG-9/PPG-10テトラデシルエーテル、PEG-8/PPG-11テトラデシルエーテル、PEG-7/PPG-12テトラデシルエーテル、PEG-6/PPG-13テトラデシルエーテル、PEG-5/PPG-14テトラデシルエーテル、PEG-4/PPG-15テトラデシルエーテル、PEG-3/PPG-16テトラデシルエーテル、PEG-2/PPG-17テトラデシルエーテル、PEG-1/PPG-18テトラデシルエーテル、PEG-19テトラデシルエーテル、PPG-19テトラデシルエーテル、PEG-19/PPG-1テトラデシルエーテル、PEG-18/PPG-2テト��デシルエーテル、PEG-17/PPG-3テトラデシルエーテル、PEG-16/PPG-4テトラデシルエーテル、PEG-15/PPG-5テトラデシルエーテル、PEG-14/PPG-6テトラデシルエーテル、PEG-13/PPG-7テトラデシルエーテル、PEG-12/PPG-8テトラデシルエーテル、PEG-11/PPG-9テトラデシルエーテル、PEG-10/PPG-10テトラデシルエーテル、PEG-9/PPG-11テトラデシルエーテル、PEG-8/PPG-12テトラデシルエーテル、PEG-7/PPG-13テトラデシルエーテル、PEG-6/PPG-14テトラデシルエーテル、PEG-5/PPG-15テトラデシルエーテル、PEG-4/PPG-16テトラデシルエーテル、PEG-3/PPG-17テトラデシルエーテル、PEG-2/PPG-18テトラデシルエーテル、PEG-19/PPG-1テトラデシルエーテル、PEG-20テトラデシルエーテル、PPG-20テトラデシルエーテル等が挙げられ。
【００１１】
本発明において、成分Ｂのポリオキシアルキレンアルキルエーテル界面活性剤としては、必要に応じて１種を単独で、または２種以上を組み合わせて用いることができ、その含有量は全組成中の１〜１０重量％で、より好ましくは２〜７重量％である。この範囲内であれば、ポリオキシアルキレンアルキルエーテル界面活性剤による泡質の改善や刺激緩和効果が十分に得られる。１重量％未満では、増粘効果が見られず、泡質の改善も見られない。また、１０重量％を超えて配合すると、すすぎ時のヌル付きが強くなるため適さない。
【００１２】
本発明の毛髪洗浄剤組成物の成分Ｃのポリオキシアルキレンアルキルアミンとしては、ＰＥＧ−２ドデシルアミン、ＰＥＧ−１／ＰＰＧ−１ドデシルアミン、ＰＰＧ−２ドデシルアミン、ＰＥＧ−２ココナッツアミン、ＰＥＧ−１／ＰＰＧ−１ココナッツアミン、ＰＰＧ−２ココナッツアミン、ＰＥＧ−２テトラデシルアミン、ＰＥＧ−１／ＰＰＧ−１テトラデシルアミン、ＰＰＧ−２テトラデシルアミン、ＰＥＧ−２ペンタデシルアミン、ＰＥＧ−１／ＰＰＧ−１ペンタデシルアミン、ＰＰＧ−２ペンタデシルアミンなどが挙げられる。特に好ましくは、ＰＥＧ−２ドデシルアミンやＰＥＧ−２ココナッツアミン、ＰＥＧ−２テトラデシルアミンである。
【００１３】
本発明の毛髪洗浄剤組成物の成分Ｃのポリオキシアルキレンアルキルアミンは、必要に応じて１種を単独で、または２種以上を組み合わせて用いることができ、その含有量は全組成中の０．０５〜５重量％である。この範囲であれば、ポリオキシアルキレンアルキルアミンによる油に対する洗浄性の向上並びに、増粘、起泡性や泡の持続性を十分に確認できる。０．０５重量％未満では、洗浄性の向上、増粘性や泡の持続性が十分には確認できず、５重量％を超えて配合すると洗浄性が低下し、更にはポリオキシアルキレンアルキルアミン由来のアミン臭が強くなりすぎるため適さない。
【００１４】
更に本発明の効果を妨害しない範囲で他のアニオン界面活性剤、非イオン界面活性剤、および通常洗浄剤あるいは化粧品に用いられる他の成分、例えば、動物、植物、魚貝類、微生物由来の抽出物、粉末成分、液体油脂、固体油脂、ロウ、炭化水素、高級アルコール、エステル類、シリコーン、保湿剤、水溶性高分子、被膜剤、紫外線吸収剤、消炎剤、金属封鎖剤、低級アルコール、糖類、アミノ酸類、有機アミン類、合成樹脂エマルジョン、ｐH 調整剤、皮膚栄養剤、ビタミン類、酸化防止剤、酸化防止助剤、抗菌剤、香料などを必要に応じて一種あるいは２種以上用いても良い。
【実施例】
【００１５】
本発明の効果に関して以下の実施例によりさらに詳細に説明する。
【００１６】
製造例１    ＰＥＧ−２ココナッツアミンの合成
１リットルのオートクレーブにココナッツアミン（１．０ｍｏｌ）を仕込み、窒素置換、昇温後に１５０±５℃でエチレンオキサイド付加(２．０ｍｏｌ)を実施した。エチレンオキサイド導入後１時間の熟成を行い、熟成終了後の反応液を１リットルのナスフラスコに移し、トッピング（７０〜８０℃、−０．０９６ＭＰａ、１５分間）を行い、目的物を取り上げた。
【００１７】
成分（Ａ）、（Ｂ）にノニオン性界面活性剤を加えたベース洗浄剤を作製し、ローリングアップ試験とスポンジ起泡力試験を測定した。表に実施例及び比較例の処方を載せる。なお、比較としてラウレス硫酸Ｎａ単独の系、ラウレス-7未配合の系を載せる。ローリングアップ試験は、総界面活性剤濃度7.5wt％に希釈したサンプル溶液中にサラダ油を一滴塗布したガラスプレートを浸漬させ、油が浮上するまでの時間を比較した。スポンジ起泡力は、総界面活性剤濃度16.5wt％のサンプル溶液10mLとサラダ油5gをスポンジへ塗布し、洗面器内で60秒間1回／秒スポンジを手で揉んで泡立てた後、1000mLメスシリンダーに泡を移し替え、その泡量での比較を行った。それぞれの評価では、比較例2を基準の「△」として、優れていた場合は「○」、劣っていた場合は「×」の評価とした。
【表１】
2015048362.tif 000003
注１  ラウレス硫酸Ｎａ  ：  エマールＥ−２７Ｃ（花王（株））
注２  ラウレス―7  ：  ＥＭＡＬＥＸ７０７（日本エマルジョン（株））
注３  アミゾールＣＤＥ−Ｇ  ：  コカミドＤＥＡ（川研ファインケミカル（株））
【００１８】
実施例１、２は、基準である比較例２およびその他の比較例１、３、４と比較してもローリングアップ性、スポンジ起泡力に優れ、油に対する洗浄性、泡の持続力に優れている結果が得られている。
【産業上の利用可能性】
【００１９】
本発明の台所用洗浄剤組成物は、食器洗浄時の洗浄性向上と、耐油汚れに優れた泡持ちの良い台所用洗浄剤組成物として好適に使用しうる。
【手続補正書】
【提出日】平成26年8月18日(2014.8.18)
【手続補正１】
【補正対象書類名】特許請求の範囲
【補正対象項目名】請求項１
【補正方法】変更
【補正の内容】
【請求項１】
下記成分（Ａ）、（Ｂ）及び（Ｃ）を含有する洗浄剤組成物。
（Ａ）アニオン性界面活性剤
（Ｂ）ポリオキシアルキレンアルキルエーテル
（Ｃ）一般式（１）に示すポリオキシアルキレンアルキルアミン
【化１】
2015048362.tif 000006
［但し式中Ｒ１は直鎖、分枝鎖又は不飽和を含んでもよい炭素数１２〜１５のアルキル基又はアルケニル基、又は炭素数８〜１８のアルキル組成物からなり、
炭素数１０以下のものを３〜２０質量％、
炭素数１２のものを３０〜７０質量％、
炭素数１４のものを１０〜３０質量％含有する混合アルキル基、又はアルケニル基を示し、
Ａ１Ｏ、Ａ２Ｏが同時にオキシエチレン基、オキシプロピレン基の混合でも良い。
ｍ，ｎは互いに独立に０以上の実数であり、  １≦ｍ＋ｎ≦２の関係がある。］